(57)【要約】【課題】再生映像や視認性の高い操作用画像をリモートコントローラに表示させることができるＤＶＤプレーヤを提供する。【解決手段】本発明に係るＤＶＤプレーヤは、第１の映像をメインディスプレイ装置に出力するＤＶＤプレーヤ本体と、サブディスプレイ装置を有するリモートコントローラとを具備するＤＶＤプレーヤにおいて、ＤＶＤプレーヤ本体は、第１の映像のデータ量を削減し、サブディスプレイ装置用の第２の映像に変換する映像データ変換部、を備え、リモートコントローラは、ＤＶＤプレーヤ本体から送信された第２の映像をサブディスプレイ装置に表示させる、ことを特徴とする。【選択図】  図３
2008166982.tif 000002
【特許請求の範囲】
【請求項１】
第１の映像をメインディスプレイ装置に出力するＤＶＤプレーヤ本体と、サブディスプレイ装置を有するリモートコントローラとを具備するＤＶＤプレーヤにおいて、
前記ＤＶＤプレーヤ本体は、
前記第１の映像のデータ量を削減し、前記サブディスプレイ装置用の第２の映像に変換する映像データ変換部、
を備え、
前記リモートコントローラは、
前記ＤＶＤプレーヤ本体から送信された前記第２の映像を前記サブディスプレイ装置に表示させる、
ことを特徴とするＤＶＤプレーヤ。
【請求項２】
前記ＤＶＤプレーヤ本体は、
複数の種類の第１の映像の中から、指定され或いは予め定められた種類の第１の映像を選択する映像選択部と、
前記映像選択部で選択され、前記映像データ変換部で変換された複数の種類の第２の映像を重ね合わせるレンダリング部と、
をさらに備えたことを特徴とする請求項１に記載のＤＶＤプレーヤ。
【請求項３】
前記映像データ変換部は、前記第１の映像に含まれるユーザ操作用の映像を、視認容易な映像に変換する、
ことを特徴とする請求項１に記載のＤＶＤプレーヤ。
【請求項４】
前記リモートコントローラは、
外部から入力する映像ファイルに基づいて第３の映像を生成する映像生成部と、
前記ＤＶＤプレーヤ本体から送信される前記第２の映像と前記第３の映像とを重ね合わせ、前記サブディスプレイ装置に表示させるレンダリング部と、
をさらに備えたことを特徴とする請求項１に記載のＤＶＤプレーヤ。
【請求項５】
前記第１の映像は、ＨＤ  ＤＶＤ規格の映像である、
ことを特徴とする請求項１に記載のＤＶＤプレーヤ。
【請求項６】
第１の映像をメインディスプレイ装置に出力するＤＶＤプレーヤ本体と、サブディスプレイ装置を有するリモートコントローラとを具備するＤＶＤプレーヤの表示制御方法において、
（ａ）前記第１の映像のデータ量を削減し、前記サブディスプレイ装置用の第２の映像に変換し、前記ＤＶＤプレーヤから前記リモートコントローラに送信し、
（ｂ）送信された前記第２の映像を前記サブディスプレイ装置に表示する、
ステップを備えたことを特徴とするＤＶＤプレーヤの表示制御方法。
【請求項７】
ステップ（ａ）では、
複数の種類の第１の映像の中から、指定され或いは予め定められた種類の第１の映像を選択し、
選択された前記第１の映像から変換された複数の種類の第２の映像を重ね合わせ、前記リモートコントローラに送信する、
ことを特徴とする請求項６に記載のＤＶＤプレーヤの表示制御方法。
【請求項８】
ステップ（ａ）では、
前記第１の映像に含まれるユーザ操作用の映像を、視認容易な映像に変換する、
ことを特徴とする請求項５に記載のＤＶＤプレーヤの表示制御方法。
【請求項９】
外部から前記リモートコントローラに入力される映像ファイルに基づいて第３の映像を生成し、
前記ＤＶＤプレーヤ本体から送信される前記第２の映像と前記第３の映像とを重ね合わせ、前記サブディスプレイ装置に表示させる、
ステップをさらに備えたことを特徴とする請求項６に記載のＤＶＤプレーヤの表示制御方法。
【請求項１０】
前記第１の映像は、ＨＤ  ＤＶＤ規格の映像である、
ことを特徴とする請求項６に記載のＤＶＤプレーヤの表示制御方法。
【発明の詳細な説明】
【技術分野】
【０００１】
本発明は、ＤＶＤプレーヤ、及びその表示制御方法に係り、特に、リモートコントローラを具備するＤＶＤプレーヤ、及びその表示制御方法に関する。
【背景技術】
【０００２】
今日、映画やゲーム等のコンテンツを記録したＤＶＤは広く普及しており、ＤＶＤプレーヤとテレビ等のディスプレイ装置とを用いた視聴形態は一般化してきている。
【０００３】
また、近時は、高密度記録型のＤＶＤとして、例えばＨＤ  ＤＶＤを再生可能なＨＤ  ＤＶＤプレーヤも市場に出回り始めた。ＨＤ  ＤＶＤプレーヤでは、従来のＤＶＤプレーヤに比べるとはるかに高精彩で、かつ多彩な内容のコンテンツを再生することができる。
【０００４】
通常、ＤＶＤプレーヤを操作する場合には、テレビ等のディスプレイ装置に各種メニューや操作のためのアイコンを表示させ、ユーザはこれらの操作用表示画面を見ながら手元のリモートコントローラを操作する形態が採られている。
【０００５】
映画等を視聴中にＤＶＤプレーヤを操作することも可能であり、この場合には視聴中の映像に操作用のアイコン等の表示画面が重ねられる。この場合、視聴中の映像の一部が操作用のアイコン等で隠れてしまうことになる。
【０００６】
特許文献１には、このような状況を回避するため、リモートコントローラに表示装置を設け、テレビ等のディスプレイ装置ではなくリモートコントローラの表示装置に操作用のアイコン等を表示させる技術が開示されている。
【特許文献１】特開２０００−１７５１４５号公報
【発明の開示】
【発明が解決しようとする課題】
【０００７】
他方、テレビ等のディスプレイ装置（以下、メインディスプレイという）を離れた場所で見ながらリモートコントローラで操作をしようとすると、画面が見えづらい場合がある。このような場合、リモートコントローラの表示装置（以下、サブディスプレイという）にテレビ等のディスプレイ装置とほぼ同じ画面が表示できれば便利である。ただし、ＤＶＤプレーヤとリモートコントローラとの通信を赤外線や無線で行う場合には伝送容量上の制約を無視することはできない。
【０００８】
また、メニュー画面等では、メインディスプレイを見ながらユーザ操作をするが、メインディスプレイの表示は出力するモニタ画面の大きさによってはユーザ操作しにくい表示となる場合がある。これは主に次の理由による。HD DVDでは、従来のDVDに比較して記録されるビデオの解像度の範囲が拡張された。また近年、モニタ画面の表示サイズの種類は増えている。このため、ユーザが選択できる表示環境(コンテンツ映像の出力解像度とモニタ画面の表示サイズとの組み合わせ)のバリエーションは、格段に増えている。したがって、コンテンツの中には、表示環境によってユーザ操作しにくい状態で表示されるものがある。例えば、大きなモニタにメニュー画面のボタンが広範囲に分散して表示されてしまい全てのボタンを把握しにくい場合や、逆に小さなモニタに小さいボタンが表示されて判別しにくい場合等の問題が挙げられる。
【０００９】
特許文献１が開示する技術は、あくまでアイコン等の簡素な図形だけをリモートコントローラに表示させるものであり、再生中のＤＶＤのコンテンツとは全く非同期のものでる。この意味では、テレビ等のディスプレイ装置の画面と同期した、即ち、ＤＶＤプレーヤの再生とほぼ同じ内容の表示が手元にあるリモートコントローラに表示されれば、操作性が大幅に高まることが期待される。また、映像情報をリモートコントローラに表示させることができれば、タッチパネル等と組み合わせることによって、リモートコントローラの画面に直接触って操作するという高い操作性も実現できる。
【００１０】
本発明は、上記事情に鑑みてなされたもので、再生映像や視認性の高い操作用画像をリモートコントローラに表示させることができるＤＶＤプレーヤ、及びその表示制御方法を提供することを目的とする。
【課題を解決するための手段】
【００１１】
上記課題を解決するため、本発明に係るＤＶＤプレーヤは、請求項１に記載したように、第１の映像をメインディスプレイ装置に出力するＤＶＤプレーヤ本体と、サブディスプレイ装置を有するリモートコントローラとを具備するＤＶＤプレーヤにおいて、前記ＤＶＤプレーヤ本体は、前記第１の映像のデータ量を削減し、前記サブディスプレイ装置用の第２の映像に変換する映像データ変換部、を備え、前記リモートコントローラは、前記ＤＶＤプレーヤ本体から送信された前記第２の映像を前記サブディスプレイ装置に表示させる、ことを特徴とする。
【００１２】
また、上記課題を解決するため、本発明に係るＤＶＤプレーヤの表示制御方法は、請求項６に記載したように、第１の映像をメインディスプレイ装置に出力するＤＶＤプレーヤ本体と、サブディスプレイ装置を有するリモートコントローラとを具備するＤＶＤプレーヤの表示制御方法において、（ａ）前記第１の映像のデータ量を削減し、前記サブディスプレイ装置用の第２の映像に変換し、前記ＤＶＤプレーヤから前記リモートコントローラに送信し、（ｂ）送信された前記第２の映像を前記サブディスプレイ装置に表示する、ステップを備えたことを特徴とする。
【発明の効果】
【００１３】
本発明に係るＤＶＤプレーヤ、及びその表示制御方法によれば、再生映像や視認性の高い操作用画像をリモートコントローラに表示させることができる。
【発明を実施するための最良の形態】
【００１４】
本発明に係るＤＶＤプレーヤ、及びその標示制御方法の実施形態について、添付図面を参照して説明する。
【００１５】
（１）第１の実施形態
図１は、本発明の実施形態に係るＤＶＤプレーヤ１の使用概念を示す図である。ＤＶＤプレーヤ１は、ＤＶＤプレーヤ本体１０とリモートコントローラ２０とを備えて構成されている。ＤＶＤプレーヤ本体１０は、例えば、ＨＤ  ＤＶＤ等の光ディスクに記録された映像コンテンツ等を再生する。ＤＶＤプレーヤ本体１０は、ＤＶＤプレーヤ１の外部にあるメインディスプレイ装置を具備するＴＶモニタ１００に対して映像（第１の映像）や音声を出力する。
【００１６】
一方、リモートコントローラ２０は、例えばタッチパネル等で構成されるユーザ操作デバイス２２と、サブディスプレイ装置２１を具備する携帯型の装置である。ユーザ操作デバイス２２を用いてＤＶＤプレーヤ本体１０を操作すると共に、ＤＶＤプレーヤ本体１０で生成されるサブディスプレイ装置用の映像（第２の映像）をサブディスプレイ装置２１に表示する。ＤＶＤプレーヤ本体１０とリモートコントローラ２０との間の通信方式は特に限定するものではないが、例えば無線で行なわれる。
【００１７】
図２は、リモートコントローラ２０の各種の実施形態を示す図である。図２（ａ）に示すリモートコントローラ２０は、サブディスプレイ装置２１の上にユーザ操作デバイス２２として指で操作可能なタッチパネルを設けた形態である。また、図２（ｂ）はペン式のタッチパネルを設けた形態である。図２（ｃ）に示すリモートコントローラ２０は、サブディスプレイ装置２１の隣に各種ボタン操作を行うユーザ操作デバイス２２を設けた形態である。図２（ｄ）に示すリモートコントローラ２０は、リモートコントローラ２０と携帯電話とを共用化した形態である。
【００１８】
以下の説明ではＤＶＤプレーヤ本体１０として、ＨＤ  ＤＶＤ用映像のＤＶＤプレーヤ本体１０を例として説明するが、ＤＶＤプレーヤ本体１０の対象はＨＤ  ＤＶＤ用映像に限定するものではなく、Blue  Ray  ディスク用映像や従来型のＤＶＤ用映像にも適用可能なものである。
【００１９】
図３は、本実施形態に係るＤＶＤプレーヤ１の構成例を示すブロック図である。ＤＶＤプレーヤ１は、ＤＶＤプレーヤ本体１０とリモートコントローラ２０とを備えて構成されており、ＤＶＤプレーヤ本体１０は、ＴＶモニタ（メインディスプレイ装置）１００へ出力する映像（第１の映像）の表示制御を行うＨＤ  ＤＶＤビデオ表示制御部３０と、リモートコントローラ２０のサブディスプレイ装置２１へ出力する映像（第２の映像）の表示制御を行うサブディスプレイ表示制御部４０を備えている。
【００２０】
まず、ＨＤ  ＤＶＤビデオ表示制御部３０の構成と動作について概略説明する。
【００２１】
ＨＤ  ＤＶＤビデオ表示制御部３０に入力される映像ソースとしては、ＨＤ  ＤＶＤ等の光ディスク２０１、ネットワークサーバ２０２、パーシステントストレージ（Persistent  storage）２０３等がある。
【００２２】
また、リモートコントローラ２０のユーザ操作デバイス２２からもユーザの操作に応じた情報が入力される。
【００２３】
ＨＤ  ＤＶＤビデオ表示制御部３０は、その内部構成として、データアクセスマネージャ３１、データキャシュ３２、プレセンテーションエンジン３３、レンダリング部３４、ナビゲーションマネージャ３５等を備えている。
【００２４】
データアクセスマネージャ３１は、光ディスク２０１、ネットワークサーバ２０２、パーシステントストレージ２０３に対するアクセス制御を行っている。データキャシュ３２は、再生中の映像データを一時的に記憶する部分である。
【００２５】
ナビゲーションマネージャ３５は、ユーザ操作デバイスからの操作情報を受けて、再生する映像の種類の選択や再生開始位置の設定等、映像の再生に関する全般的な制御を行っている。
【００２６】
プレゼンテーションエンジン３３は、主に、映像や音声等のパッケージを夫々分離し、映像データや音声データにデコードしている。レンダリング部３４は、後述するように複数の種類の映像の重ね合わせを行い、１画面に合成している。
【００２７】
ＨＤ  ＤＶＤビデオ表示制御部３０では、アドバンスドコンテンツ（Advanced  Content）と呼ばれる高解像度で多機能な映像コンテンツと、スタンデードコンデンツ（Standard  Content）と呼ばれる従来型のＤＶＤとほぼ同程度の解像度や機能を有する映像コンテンツの２系統のコンテンツを処理している。
【００２８】
図４及び図５は、アドバンスドコンテンツの映像重ね合わせの概要を例示する図である。アドバンスドコンテンツは、メインビデオ、サブビデオ、サブピクチャ、グラフィック、及びカーサと呼ばれる５種類の映像を有しており、これらの各映像のプレーン（画面）がレンダリング３４で重ねあわされて１画面に合成されている。メインビデオが主要な映像、サブビデオは補助的な映像、サブピクチャは字幕等である。グラフィックはメニュー画面等で用いられる選択ボタンなどのグラフィック画像であり、カーサはユーザ操作によって移動するカーサマーク画像である。
【００２９】
図６及び図７は、スタンデードコンデンツの映像重ね合わせの概要を例示する図である。スタンデードコンデンツは、メインビデオ、サブピクチャ、及びハイライトの３種類の映像を有しており、これらの各映像のプレーン（画面）が、アドバンスドコンテンツと同様にレンダリング３４で重ねあわされて１画面に合成されている。スタンデードコンデンツでは、メインビデオが主な映像であり、サブピクチャは字幕やメニュー用の文字やボタン図形の画像に用いられている。ハイライトは、メニュー用の文字やボタン図形に重ねてハイライトするための画像である。
【００３０】
このように、ＨＤ  ＤＶＤビデオ表示制御部３０のレンダリング部３４では、アドバンスドコンテンツにおいては５種類の、スタンデードコンデンツにおいては３種類の映像を重ね合わせ、外部のＴＶモニタ１００のメインディスプレイ装置に出力している。
【００３１】
他方、サブディスプレイ表示制御部４０（図３参照）は、リモートコントローラ２０のサブディスプレイ装置に表示させるための映像を生成している。
【００３２】
サブディスプレイ表示制御部４０は、サブディスプレイナビゲーションマネージャ４１、映像データ変換部４２、及び送信部４３を備えて構成されている。サブディスプレイナビゲーションマネージャ４１は、ＨＤ  ＤＶＤビデオ表示制御部３０のナビゲーションマネージャ３５からの制御に従って映像再生のナビゲーションを行なう他、サブディスプレイ表示制御部４０全体の制御を行っている。
【００３３】
映像データ変換部４２では、ＨＤ  ＤＶＤビデオ表示制御部３０のレンダリング部３４で合成された高解像度の映像に対して、図８に示したようにデータ量削減と視認容易な映像にするための映像データ変換処理を行っている。ＤＶＤプレーヤ本体１０とリモートコントローラ２０との間の通信容量に制限があるためである。
【００３４】
このデータ変換処理として、例えば次のような処理を行っている。
【００３５】
第１は、映像の低解像度化処理である。光ディスク２０１、ネットワークサーバ２０２、パーシステントストレージ２０３等から入力される映像ソースにはメインビデオやサブビデオの属性情報として、解像度情報や表示領域のサイズ情報が含まれている。低解像度化処理では、これらの解像度情報や表示領域のサイズ情報に基づいて、一定の割合で画素を間引いたり、画素を平均化したりして解像度を落とすことによりデータサイズを削減している。
【００３６】
第２は、映像の低周波数化処理である。映像のフレームレートを落とし、時間方向に間引くことで低周波数化しデータ量の削減を行なう。前述した属性情報には、解像度等の他に対応するＴＶシステム(60Hz/50Hz)を記述する部分が存在する。これと解像度の情報とで、映像のフレームレートが分かる。この情報を元に、時間軸上で表示するフレームレートを落とすことによりデータ量を削減する。
【００３７】
第３は、映像の色階調の削減処理である。映像の表示色階調を落とす、または、カラー画像をモノクロ化する、等の処理であり、これによりリモートコントローラ２０に転送するデータ量を削減する。
【００３８】
第４は、特定のピクチャの選択処理である。サブディスプレイ装置２１には総ての映像ピクチャを表示させるのではなく、特定ピクチャの選択をして出力をすることにより、時間方向に間引くことになりデータ量を削減することができる。特定のピクチャとは、例えば、パッケージ（分割された映像の単位）の最初の１フレーム画像である。
【００３９】
第５は、画像の輪郭抽出処理である。画像の輪郭を画像処理で抽出し、輪郭のみの画像に変換することでデータ量を削減する。
【００４０】
映像データ変換部４２では、上記のような処理を適宜組み合わせてデータ量を削減し、メインディスプレイ装置用１００の映像（第１の映像）から、サブディスプレイ装置２１用の映像（第２の映像）に変換している。変換されたサブディスプレイ装置２１用の映像は、送信部４３を介してリモートコントローラ２０に送信される。
【００４１】
リモートコントローラ２０では、この映像を受信部２３で受信し、デコーダ２４でデコードした後、サブディスプレイ装置２１に表示する。
【００４２】
（２）第２の実施形態
図９は、第２の実施形態に係るＤＶＤプレーヤ１ａの構成例を示す図である。第１の実施形態（図３）とは、サブディスプレイ表示制御部４０の構成が異なっている。
【００４３】
第１の実施形態では、サブディスプレイ表示制御部４０は、ＨＤ  ＤＶＤビデオ表示制御部３０のレンダリング部３４で既に合成された映像に対して映像データ変換処理を行う形態である。これに対して、第２の実施形態に係るサブディスプレイ表示制御部４０ａは、合成前の映像をＨＤ  ＤＶＤビデオ表示制御部３０から入力し、図１０に示すようにメインビデオやサブビデオ等の映像の種類毎に映像データ変換処理の変換を行い、変換された各映像をレンダリング部４６で重ね合わせて合成する構成としている。
【００４４】
メインビデオとサブビデオは主に動画であり、静止画を主体とするサブピクチャ、グラフィック、カーサとはデータ量削減処理の形態が異なるため、本実施形態ではこれらを２つに分類し、それぞれメイン／サブビデオ映像データ変換部４４と、サブピクチャ／グラフィック／カーサ映像データ変換部４５でデータ量削減処理を行う形態としている。
【００４５】
また、操作のためのアイコンは、サブピクチャ／グラフィックで形成されることが多く、これをメイン／サブビデオ映像と別に変換することで視認性を高めることが出来る。
【００４６】
なお、サブピクチャ／グラフィック／カーサ映像データ変換部４５では、前述したデータ量削減処理の他、次のような処理も行っている。
【００４７】
１つ目は画像の簡略化処理である。サブピクチャ／グラフィック／カーサ画像の輪郭やオブジェクトそのものの大きさや形等を認識し、簡略化した画像に変換する。これによりデータ量が削減する。
【００４８】
２つ目は画像のサイズ変換処理である。サブピクチャ／グラフィック／カーサ画像のうち、強調すべき画像を大きく、強調しない画像を小さく変換する処理である。この処理によって、サブディスプレイ装置２１に表示されるこれらの画像、例えばメニュー画像、の視認性を高めることができる。
【００４９】
３つ目は、位置変更処理である。サブピクチャ／グラフィック／カーサの各画像の表示位置を適切な位置にずらすことで、サブディスプレイ装置２１での視認性をさらに高めることができる。
【００５０】
また、本実施形態に係るサブディスプレイナビゲーションマネージャ４１には、合成する映像の種類を選択する機能（映像選択部としての機能）を持たせている。この機能によって、選択された種類の映像だけに対してデータ量削減処理を行い、その後それらの映像をレンダリング部４６で重ね合わせ合成している。
【００５１】
図１１乃至図１３は、アドバンスドコンテンツの場合の５種類の映像に対して上記の選択及び変換処理を行う例を示す図であり、図１４及び図１５は、スタンデードコンデンツの場合の３種類の映像に対して上記の選択及び変換処理を行う例を示す図である。
【００５２】
なお、図１６は、第１の実施形態において、スタンデードコンデンツを表示する場合の概念であり、ＤＶＤプレーヤ本体１０で合成した後にレンダリングを行う処理となっている。
【００５３】
（３）第３の実施形態
第３の実施形態に係るＤＶＤプレーヤ１ｂは、メインディスプレイ装置の表示とは別の映像をメインディスプレイと同期させてサブディスプレイ装置２１に表示させる形態である。この形態の表示概念を図１７及び図１８に示す。図１７はアドバンスドコンテンツに対応する表示概念であり、図１８はスタンデードコンデンツに対応する表示概念である。
【００５４】
以下の説明では、アドバンスドコンテンツの場合について説明するが、スタンデードコンデンツの場合もほぼ同様の処理となる。
【００５５】
サブディスプレイ装置２１にはメインビデオやサブビデオの代わりにユーザ操作用映像（第３の映像）というユーザ操作専用の映像をサブピクチャ／グラフィック／カーサ画像とレンダリングして（重ね合わせて）表示する。
【００５６】
ユーザ操作用映像は、固定パターンの映像をユーザが自由に設定できる形態でもいいし、事前にサブディスプレイ装置２１用にコンテンツのビデオ出力を加工した映像とする形態でもよい。また、このコンテンツに合わせたユーザ操作用映像をコンテンツ作成者が提供していて、あらかじめユーザがネットワークからダウンロードしておくという形態でもよい。ユーザ操作用映像は、ビデオのみのエレメンタリーストリーム形式、プログラムストリーム形式、等の種々の形態で保存、或いは生成できる。
【００５７】
図１９は、第３の実施形態に係るＤＶＤプレーヤ１ｂの構成例を示す図である。ＤＶＤプレーヤ本体１０ｂのサブディスプレイ表示制御部４０ｂは、サブディスプレイナビゲーションマネージャ４１、サブピクチャ／グラフィック／カーサ映像データ変換部４２、サブディスプレイ装置用映像情報マネージャ４７、及び送信部４３を備えて構成されている。
【００５８】
また、第３の実施形態に係るリモートコントローラ２０ｂは、受信部２３、サブディスプレイ装置２１に加えて、サブディスプレイナビゲーションマネージャ２４、データキャッシュ部２５、映像生成部２６、及びレンダリング部２７を備えて構成されている。
【００５９】
また、リモートコントローラ２０ｂには、外部からユーザ操作用映像ファイル３００が入力される。
【００６０】
第３の実施形態では、リモートコントローラ２０ｂに、サブディスプレイナビゲーションマネージャ２４、データキャッシュ部２５、映像生成部２６、及びレンダリング部２７を設けることによって、リモートコントローラ２０ｂでも映像やユーザ操作用ボタンの表示位置・大きさ・色情報を映像ソースから提供される形態以外で、即ち、外部からユーザ操作用映像ファイルの形態で入力し、映像を生成することができる。この結果、ＤＶＤプレーヤ本体１０ｂとリモートコントローラ２０ｂとの間の転送データの量を低減することができる。
【００６１】
ユーザ操作用映像ファイル３００の入力方法は特に限定するものではなく、ＵＳＢメモリ等の着脱可能型記録媒体から入力する形態でもよいし、リモートコントローラ２０ｂが携帯電話等の通信機能を持つ場合には、インターネットを介してネットワークサーバから入力する形態でもよい。
【００６２】
メインディスプレイ装置との表示の同期の仕方としては、サブディスプレイ表示制御部４０ｂに設けたサブディスプレイナビゲーションマネージャ２４から、再生中の映像のタイトルと時間情報のみを受信し（この機能は、サブディスプレイ装置用映像情報マネージャ４７で実現される）、あらかじめリモートコントローラ２０ｂのデータキャシュ部２５に保存しておいた映像をその時間情報に合わせて再生させればよい。再生中のタイトルと時間情報は、再生している映像の属性情報から得ることができる。
【００６３】
図２０は、コンテンツの再生中におけるサブディスプレイ装置２１用映像の表示処理の流れの一例を示すフローチャートである。まず、サブディスプレイの表示更新タイミングであるかどうかの判断を行う（ステップＳＴ１）。表示更新タイミングは、映像データ変換処理の内容によって異なってくる。例えば映像の低周波数化処理や特定のピクチャの選択処理を行わない場合は、メインディスプレイ装置への表示タイミングと基本的には同じである。一方、映像の低周波数化処理を行う場合はその間引きされた後のフレームレートに当たるタイミングとなる。また、特定のピクチャの選択処理を行う場合には、その特定のピクチャの再生タイミングが表示更新タイミングとなる。さらにメインビデオとサブビデオをサブディスプレイ装置２１に表示させない場合（第２の実施形態:図１３、図１５）は、サブピクチャ／グラフィック／カーサ画像が前の画像から変更されたタイミングを表示更新タイミングとしてもよい。これらの表示更新タイミングにより、サブディスプレイ表示処理を行う。更新タイミングでなければ、更新タイミングになるまで現在の表示のまま待機する（ステップＳＴ１のＮＯ）。
【００６４】
ステップＳＴ２のサブディスプレイ表示処理は前述した実施形態に従った表示処理である。サブディスプレイ表示中に、ユーザ操作が禁止されていない時間であれば、ユーザ操作を受け付ける状態となる。この判断をステップＳＴ３で行っている。
【００６５】
ユーザ操作を受け付ける状態で、ボタンを選択・決定する操作をするなどのユーザイベントが発生し（ステップＳＴ３のＹｅｓ）、ユーザ操作情報がＤＶＤプレーヤ本体１０に伝達された場合は、そのユーザイベントを反映し（ステップＳＴ４）、サブディスプレイ表示処理を再度行い、サブディスプレイ表示を更新する（ステップＳＴ２）。
【００６６】
一方、ユーザイベントが特に発生せず（ステップＳＴ４のＮＯ）、再生終了時間に到達したら（ステップＳＴ５のＹＥＳ）、サブディスプレイ表示を終了する。この処理を再生時間に到達するまで、繰り返す。なお、上述したユーザ操作が禁止されている時間の判断は、映像の属性情報に基づいて判断する。
【００６７】
図２１乃至図２６に、上述した各実施形態におけるサブディスプレイ装置２１の表示例をメインディスプレイ装置の表示と比較して示した。
【００６８】
図２１は、第１の表示例である。メインディスプレイ装置の表示では、メインビデオの上にサブビデオがピクチャインピクチャの形で表示され、さらにその上にグラフィック(スタンデードコンデンツの場合は、ハイライト)やサブピクチャからなるボタンとユーザの指示ポインターを表すカーサ画像が表示されている。
【００６９】
これに対して、サブディスプレイ装置２１の表示では、前述した映像データ変換処理を行い、映像を低解像度化と表示色階調を落としている。
【００７０】
図２２は、第２の表示例である。メインビデオとサブビデオは第１の表示例を同様に映像データ変換処理によってデータサイズを削減している。また、グラフィック（又はハイライト）とサブピクチャを、サブピクチャ／グラフィック／カーサ映像データ変換部４５によって、画像の簡略化とサイズ変更することで、ボタンを見やすく視認性の高い映像に変換すると共に、データサイズを落としている。
【００７１】
図２３は、第３の表示例である。この表示例では、サブディスプレイ装置２１にはメインビデオの表示を行わないものとしており、メインビデオの情報リモートコントローラ２０に転送する必要がないため、転送データサイズが小さく出来る。
【００７２】
図２４は、第４の表示例である。この表示例では、メインディスプレイ装置用のメインビデオやサブビデオとは関係のない、ユーザの好みに応じたユーザ操作用映像を外部から入力し、サブディスプレイ装置２１のバック画面に表示している。第３の実施形態に係るＤＶＤプレーヤ１ｂの表示例である。バック画面の上からは、第２の表示例と同じ、画像の簡略化とサイズ変更することで見やすい映像に変換すると共にデータサイズ落とした操作ボタンを表示している。
【００７３】
図２５は、第５の表示例である。この表示例は、再生するコンテンツに合わせたユーザ操作用映像をコンテンツ作成者が提供しており、ユーザが予めネットワークからダウンロードするという形態に対応する表示例である。この表示例も第３の実施形態に対応するものである。この場合、ＤＶＤプレーヤ本体１０から転送される再生時間情報を元にメインディスプレイと同期して表示することができる。例えば、第５の表示例の右下にあるように、タイトルの再生時間を表示することもできる。また、コンテンツ製作者がメインディスプレイには表示したくないが、操作の補助となる情報がある場合、これらの情報をユーザ操作用映像としタイトル表示の近傍に表示させることで、メインディスプレイ装置の表示に影響を与えることなく、操作の補助となる情報をサブディスプレイ装置２１に表示することができる。
【００７４】
図２６は、第６の表示例である。この表示例では、現在フォーカスされている（ハイライトされている）、即ち、ユーザによって選択されている、ボタンを検出し、そのボタンを強調するように拡大表示等の変換処理を行った後、それらのボタンを表示している。この変換処理は、第２、第３の実施形態に係るサブピクチャ／グラフィック／カーサ映像データ変換部４５によって行われるものである。選択されているボタンを強調表示することで、ユーザ操作しやすいサブディスプレイ表示となる。
【００７５】
以上説明してきたように、上記の各実施形態に係るＤＶＤプレーヤ及びその表示制御方法によれば、映像や視認性の高い操作用画像をリモートコントローラに表示させることができる。
【００７６】
なお、本発明は上記の各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の実施形態の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００７７】
【図１】本発明に係るＤＶＤプレーヤの実施形態の使用例を示す図。
【図２】リモートコントローラの実施形態の各種実装例を示す図。
【図３】第１の実施形態に係るＤＶＤプレーヤの構成例を示す図。
【図４】メインディスプレイ装置用のアドバンスドコンテンツの表示概念を示す第１の図。
【図５】メインディスプレイ装置用のアドバンスドコンテンツの表示概念を示す第２の図。
【図６】メインディスプレイ装置用のスタンデードコンデンツの表示概念を示す第１の図。
【図７】メインディスプレイ装置用のスタンデードコンデンツの表示概念を示す第２の図。
【図８】第１の実施形態に係るサブディスプレイ装置の表示概念を示す図。
【図９】第２の実施形態に係るＤＶＤプレーヤの構成例を示す図。
【図１０】第２の実施形態に係るサブディスプレイ装置におけるアドバンスドコンテンツの表示概念を示す第１の図。
【図１１】第２の実施形態に係るサブディスプレイ装置におけるアドバンスドコンテンツの表示概念を示す第２の図。
【図１２】第２の実施形態に係るサブディスプレイ装置におけるアドバンスドコンテンツの表示概念を示す第３の図。
【図１３】第２の実施形態に係るサブディスプレイ装置におけるアドバンスドコンテンツの表示概念を示す第４の図。
【図１４】第２の実施形態に係るサブディスプレイ装置におけるスタンデードコンデンツの表示概念を示す第１の図。
【図１５】第２の実施形態に係るサブディスプレイ装置におけるアドバンスドコンテンツの表示概念を示す第２の図。
【図１６】第１の実施形態に係るサブディスプレイ装置におけるアドバンスドコンテンツの表示概念を示す図。
【図１７】第３の実施形態に係るサブディスプレイ装置におけるアドバンスドコンテンツの表示概念を示す図。
【図１８】第３の実施形態に係るサブディスプレイ装置におけるスタンデードコンデンツの表示概念を示す図。
【図１９】第３の実施形態に係るＤＶＤプレーヤの構成例を示す図。
【図２０】サブディスプレイ装置用映像の表示処理の流れの一例を示すフローチャート。
【図２１】サブディスプレイ装置における第１の表示例を示す図。
【図２２】サブディスプレイ装置における第２の表示例を示す図。
【図２３】サブディスプレイ装置における第３の表示例を示す図。
【図２４】サブディスプレイ装置における第４の表示例を示す図。
【図２５】サブディスプレイ装置における第５の表示例を示す図。
【図２６】サブディスプレイ装置における第６の表示例を示す図。
【符号の説明】
【００７８】
１  ＤＶＤプレーヤ
１０  ＤＶＤプレーヤ本体
２０  リモートコントローラ
２１  サブディスプレイ装置
２５  データキャッシュ部
２６  映像生成部
２７  レンダリング部
４１  サブディスプレイナビゲーションマネージャ
４２  映像データ変換部
４４  メイン／サブビデオ映像データ変換部
４５  サブピクチャ／グラフィック／カーサ映像データ変換部
４６  レンダリング部
４７  サブディスプレイ装置用映像情報マネージャ
【図１】
2008166982.tif 000003
【図２】
2008166982.tif 000004
【図３】
2008166982.tif 000005
【図４】
2008166982.tif 000006
【図５】
2008166982.tif 000007
【図６】
2008166982.tif 000008
【図７】
2008166982.tif 000009
【図８】
2008166982.tif 000010
【図９】
2008166982.tif 000011
【図１０】
2008166982.tif 000012
【図１１】
2008166982.tif 000013
【図１２】
2008166982.tif 000014
【図１３】
2008166982.tif 000015
【図１４】
2008166982.tif 000016
【図１５】
2008166982.tif 000017
【図１６】
2008166982.tif 000018
【図１７】
2008166982.tif 000019
【図１８】
2008166982.tif 000020
【図１９】
2008166982.tif 000021
【図２０】
2008166982.tif 000022
【図２１】
2008166982.tif 000023
【図２２】
2008166982.tif 000024
【図２３】
2008166982.tif 000025
【図２４】
2008166982.tif 000026
【図２５】
2008166982.tif 000027
【図２６】
2008166982.tif 000028